(57)【特許請求の範囲】
【請求項１】
枠体と、
トレイと、
脱臭装置と
を備え、
前記枠体は、
前記トレイを予め定められた位置に載置するトレイ載置部を備え、
前記脱臭装置は、
脱臭装置本体と、
センサと、
前記脱臭装置本体とセンサとを繋ぐコードと
を備え、
前記トレイは、
前記トレイ載置部に載置される下側部材と、
前記下側部材の上に載置される上側部材と
を備えており、
前記下側部材は、
前記上側部材が載置される上側部材載置部と、
前記センサが配置されるセンサ配置部と、
前記脱臭装置本体を保持する脱臭装置保持部と
を備え、
前記センサ配置部は、前記下側部材の後部の上縁に設けられており、
前記上側部材の後部には、前記センサ配置部に置かれたセンサが露出する切欠きが形成されており、
前記コードは、前記センサ配置部に置かれたセンサから前記下側部材の後部に沿って配線されている、
ポータブルトイレ。
【請求項２】
前記コードは、前記枠体の後面材の内側に配線されている、請求項１に記載されたポータブルトイレ。
【請求項３】
枠体と、
トレイと、
脱臭装置と、
バケツと、
ダクトと、
を備え、
前記枠体は、
前記トレイを予め定められた位置に載置するトレイ載置部を備え、
前記脱臭装置は、
脱臭装置本体と、
センサと、
前記脱臭装置本体とセンサとを繋ぐコードと
を備え、
前記トレイは、
前記センサが配置されるセンサ配置部と、
前記脱臭装置本体を保持する脱臭装置保持部と、
前記トレイ載置部に載置される下側部材と、
前記下側部材の上に載置される上側部材と
を備え、
前記上側部材は、
前記バケツを予め定められた位置に載置するバケツ載置部と、
前記バケツ載置部に載置されたバケツの周りに延びた受け部と、
前記受け部に設けられたダクト接続口と、
前記ダクトを予め定められた位置に取り付けるダクト取付部と
を備え、
前記下側部材は、
前記枠体のトレイ載置部に載置される被載置部と、
前記上側部材を予め定められた位置に載置する上側部材載置部と、
前記バケツ載置部に載置されたバケツを囲む壁と、
前記センサ配置部と、
前記脱臭装置保持部と
を備え、
前記ダクトは、
前記ダクト接続口に通じる入口と、
前記脱臭装置に通じる出口と
を備え、かつ、
前記ダクト取付部に取り付けられた状態で前記トレイに保持されており、
前記脱臭装置本体は、吸引口を備え、
前記脱臭装置保持部に前記脱臭装置本体が保持され、前記下側部材が前記トレイ載置部に載置され、前記上側部材が前記上側部材載置部に載置され、かつ、前記ダクトが前記ダクト取付部に取り付けられた状態において、前記出口と、前記吸引口とが接続される、
ポータブルトイレ。
【請求項４】
前記ダクト取付部は、前記上側部材の裏側に設けられており、
前記ダクトは、下方に窪んだ底部を有し、
前記ダクトの上縁は、前記上側部材の裏側に沿った形状を有している、
請求項３に記載されたポータブルトイレ。
【請求項５】
前記上側部材が前記上側部材載置部から取り外される際の移動方向において、前記出口と前記吸引口とが干渉しない、請求項３または４に記載されたポータブルトイレ。
【請求項６】
前記出口と前記吸引口とのうち何れか一方には、他方の周りを囲む壁が設けられており、当該壁には、前記上側部材が前記上側部材載置部から取り外される際に、前記他方が前記一方に対して相対的に移動する方向とは反対側に切り欠きが設けられている、請求項３から５までの何れか一項に記載されたポータブルトイレ。
【請求項７】
前記脱臭装置保持部に前記脱臭装置が保持された状態において、前記脱臭装置の吸引口は上向きに開口しており、
前記下側部材が前記トレイ載置部に載置されており、前記上側部材が前記上側部材載置部に載置されており、かつ、前記ダクトが前記ダクト取付部に取り付けられた状態において、前記ダクトの出口は下向きに開口しており、
前記ダクトの出口と前記脱臭装置の吸引口とが上下に接続されている、
請求項３から６までの何れか一項に記載されたポータブルトイレ。
【発明の詳細な説明】
【技術分野】
【０００１】
本発明はポータブルトイレに関する。
【背景技術】
【０００２】
例えば、特開２００５−３０４６９４号公報および特開２０１４−６４６０１号公報には、木材によって形成された枠体に、汚水受け、バケツ、便座などを配置したポータブルトイレが開示されている。ここで、枠体は、便器外殻とも称される。汚水受けは、便座受け、受け板などと称される。バケツは、汚物ポットとも称される。特開２０１４−６４６０１号公報に開示されているように、ポータブルトイレには、脱臭装置が取り付けられている場合もある。
【先行技術文献】
【特許文献】
【０００３】
【特許文献１】特開２００５−３０４６９４号公報
【特許文献２】特開２０１４−６４６０１号公報
【発明の概要】
【発明が解決しようとする課題】
【０００４】
いわゆるポータブルトイレに脱臭装置を取り付ける場合、脱臭装置のダクト周辺の清掃の便宜を図るべく、ダクトや脱臭装置の取り付け構造について新規構造を提案する。
【課題を解決するための手段】
【０００５】
ここで提案されるポータブルトイレは、枠体と、トレイと、脱臭装置とを備えている。枠体は、トレイを予め定められた位置に載置するトレイ載置部を備えている。脱臭装置は、脱臭装置本体と、センサと、脱臭装置本体とセンサとを繋ぐコードとを備えている。トレイは、センサが配置されるセンサ配置部と、脱臭装置本体を保持する脱臭装置保持部とを備えている。この構成によって、このポータブルトイレは、トレイと一緒に脱臭装置が枠体から取り外せる。
【０００６】
トレイは、トレイ載置部に載置される下側部材と、下側部材の上に載置される上側部材とを備えていてもよい。下側部材は、上側部材が載置される上側部材載置部と、センサ配置部と、脱臭装置保持部とを備えていてもよい。この構成によって、脱臭装置を下側部材に残して上側部材を取り外すことができる。さらに、コードは、上側部材が上側部材載置部から取り外される際に、上側部材と干渉しない位置に配線されていてもよい。この構成によって、上側部材を取り外す際にコードが邪魔にならない。
【０００７】
また、ポータブルトイレは、バケツと、ダクトとを備えていてもよい。この場合、トレイは、バケツを予め定められた位置に載置するバケツ載置部と、バケツ載置部に載置されたバケツの周りに延びた受け部と、受け部に設けられたダクト接続口と、ダクトを予め定められた位置に取り付けるダクト取付部とを備えているとよい。ダクトは、ダクト接続口に通じる入口と、脱臭装置に通じる出口とを備えており、ダクト取付部に取り付けられた状態でトレイに保持されているとよい。この場合、ダクトが、トレイのダクト取付部に保持されているので、枠体からトレイを取り外す際にダクトが取り外される。このため、ダクトの取り外しが容易である。
【０００８】
この場合においても、トレイは、トレイ載置部に載置される下側部材と、下側部材の上に載置される上側部材とを備えていてもよい。この場合、上側部材は、バケツ載置部と、受け部と、ダクト取付部と、ダクト接続口とを備えているとよい。下側部材は、枠体のトレイ載置部に載置される被載置部と、上側部材を予め定められた位置に載置する上側部材載置部と、バケツ載置部に載置されたバケツを囲む壁と、センサ配置部と、脱臭装置保持部とを備えているとよい。この構成によって、下側部材にセンサと脱臭装置本体とを残した状態で、トレイの上側部材とダクトと取り外せる。下側部材および脱臭装置を枠体から取り外す必要が無い。
【０００９】
また、ダクト取付部は、上側部材の裏側に設けられていてもよい。この場合、ダクトは、下方に窪んだ底部を有しているとよく、ダクトの上縁は、上側部材の裏側に沿った形状を有しているとよい。この場合、ダクトは、上側部材の裏側に取り付けられる。このことによって、ダクトは、上下に割れる一対の金型での成型が可能となり、製造コストが低く抑えられる。
【００１０】
また、脱臭装置本体は、吸引口を備えており、脱臭装置保持部に脱臭装置本体が保持され、下側部材がトレイ載置部に載置され、上側部材が上側部材載置部に載置され、かつ、ダクトがダクト取付部に取り付けられた状態において、出口と吸引口とが接続されてもよい。つまり、脱臭装置、ダクト、下側部材および上側部材を予め定められた位置に取り付けることによって、ダクトの出口と脱臭装置本体の吸引口とが接続されるので、取り付けが容易である。
【００１１】
また、上側部材が上側部材載置部から取り外される際の移動方向において、出口と吸引口とが干渉しないとよい。この場合、上側部材の取り付けや取り外しが容易になる。
【００１２】
また、出口と吸引口とのうち何れか一方には、他方の周りを囲む壁が設けられていてもよい。そして、当該壁には、上側部材が上側部材載置部から取り外される際に、他方の周りを囲む壁が設けられている一方に対して、他方が相対的に移動する方向とは反対側に切り欠きが設けられていてもよい。
【００１３】
また、脱臭装置保持部に脱臭装置が保持された状態において、脱臭装置の吸引口は上向きに開口していてもよい。この場合、下側部材がトレイ載置部に載置されており、上側部材が上側部材載置部に載置されており、かつ、ダクトがダクト取付部に取り付けられた状態において、ダクトの出口は下向きに開口しており、ダクトの出口と脱臭装置の吸引口とが上下に接続されているとよい。
【図面の簡単な説明】
【００１４】
【図１】図１は、ポータブルトイレ１０の断面図である。
【図２】図２は、枠体１２の平面図である。
【図３】図３は、枠体１２の正面図である。
【図４】図４は、枠体１２の左側面図である。
【図５】図５は、左面材１２ｂの右側面図である。
【図６】図６は、トレイ１４の斜視図である。
【図７】図７は、バケツ１６が載せられたトレイ１４の斜視図である。
【図８】図８は、下側部材６４の斜視図である。
【図９】図９は、トレイ１４が載せられた枠体１２の前部の拡大したポータブルトイレ１０の縦断側面図である。
【図１０】図１０は、図６のＸ−Ｘ断面図である。
【図１１】図１１は、ダクト１８および脱臭装置２８を拡大した断面図である。
【図１２】図１２は、ダクト１８が取り付けられた上側部材６２の底面図である。
【図１３】図１３は、上側部材６２のダクト取付部６２ｐを拡大した拡大図である。
【図１４】図１４は、ダクト１８の平面図である。
【図１５】図１５は、ダクト１８の斜視図である。
【図１６】図１６は、変形例に係る上側部材６２に取り付けられたダクト１８の底面図である。
【図１７】図１７は、下側部材６４と脱臭装置２８とダクト１８が組み付けられた状態を示す平面図である。
【図１８】図１８は、上側部材６２、下側部材６４および脱臭装置２８が組み付けられた状態を示す背面図である。
【発明を実施するための形態】
【００１５】
以下、ここで提案されるポータブルトイレを図面に基づいて説明する。各図において同じ作用を奏する部材や部位には、同じ符号を付し、適宜に重複する説明を省略している。ここでは、説明の便宜上、ポータブルトイレに対して適宜に、前後左右の方向を設定する。図面上、前をＦ、後をＢ、左をＬ、右をＲ、上をＵ、下をＤと表す。ここでは、ポータブルトイレに座る使用者の通常の姿勢を基準に、使用者の前方を前、後方を後とし、左右および上下が定められている。
【００１６】
〈ポータブルトイレ１０〉
図１は、ポータブルトイレ１０の断面図である。ポータブルトイレ１０は、図１に示すように、枠体１２と、トレイ１４と、バケツ１６とを備えている。バケツ１６には、蓋２２が取り付けられている。トレイ１４には、便座２４と上蓋２６とが取り付けられている。また、トレイ１４の後部には、ダクト１８と、脱臭装置２８が取り付けられている。また枠体１２には、肘掛け３２、３３（図２参照）と背もたれ３４が取り付けられている。また、枠体１２には、脚４２、４３（図３参照）が取り付けられている。
【００１７】
〈枠体１２〉
図２は、枠体１２の平面図である。図３は、枠体１２の正面図である。図４は、枠体１２の左側面図である。枠体１２は、木製の部材であり、図２に示すように、前面材１２ａと、左面材１２ｂと、右面材１２ｃと、後面材１２ｄとを備えている。
【００１８】
前面材１２ａは、枠体１２のうち、バケツ１６が配置される領域Ａ１の前側に配置される部材である。左面材１２ｂは、バケツ１６が配置される領域Ａ１の左方に配置される部材である。右面材１２ｃは、バケツ１６が配置される領域Ａ１の右方に配置される部材である。後面材１２ｄは、バケツ１６が配置される領域Ａ１の後ろ側に配置される部材である。
【００１９】
この実施形態では、前面材１２ａは、板状の部材であり、左面材１２ｂの前部と、右面材１２ｃの前部との間に渡されている。前面材１２ａの下縁は、左右方向の中央部１２ａ１において上方に高くなっている。このポータブルトイレ１０では、中央部１２ａ１の下に広い空間Ｓ２が確保されている。なお、この実施形態で、バケツ１６が配置される領域Ａ１は、前面材１２ａと、左面材１２ｂと、右面材１２ｃと、後面材１２ｄとで囲まれた空間である。バケツ１６が配置される領域Ａ１は、バケツ１６が大凡収容されているとよい。この実施形態では、バケツ１６の一部（上縁部の前側の部位）が前面材１２ａよりも前方にはみ出ているが、前面材１２ａは、バケツ１６が配置される領域Ａ１の前側に配置されているものとする。
【００２０】
この実施形態では、左面材１２ｂと右面材１２ｃは、それぞれ複数の部材が組み合わされている。図５は、左面材１２ｂの右側面図であり、左面材１２ｂの内側を示している。
【００２１】
左面材１２ｂは、図５に示すように、前側部材１２ｂ１と、後側部材１２ｂ２とを備えている。前側部材１２ｂ１の上部には、外方（左面材１２ｂでは左方）に座面を延ばすように配置された移乗補助部材１２ｂ３が取り付けられている。後側部材１２ｂ２は、前側部材１２ｂ１の後ろ縁に接続されている。後側部材１２ｂ２の上部は上方に延びており、その上縁に背もたれ３４（図１参照）を支持する支柱部材１２ｂ４が設けられている。左面材１２ｂの内側には、トレイ１４を支持する支持板１２ｂ５と、高さ調節ブロック１２ｂ６と、左脚４２とが取り付けられている。支持板１２ｂ５は、前後に延びる棒状の部材で、左面材１２ｂの内側において、所定の高さに取り付けられている。
【００２２】
左脚４２は、左面材１２ｂの前後において上下方向に延びた脚体４２ａ，４２ｂと、前後の脚体４２ａ，４２ｂの間に渡された間材４２ｃと、前後の脚体４２ａ，４２ｂの下端に取り付けられたベース４２ｄとを備えている。ベース４２ｄの後端には、キャスター４２ｅが取り付けられている。
【００２３】
右面材１２ｃと右脚４３（図３参照）は、左面材１２ｂと左脚４２とそれぞれ同様の構造である。つまり、右面材１２ｃは、図１に示すように、前側部材１２ｃ１と、後側部材１２ｃ２と、移乗補助部材１２ｃ３（図３参照）と、背もたれ３４の支柱部材１２ｃ４とを備えている。右面材１２ｃの内側には、図２に示すように、支持板１２ｃ５と、高さ調節ブロック１２ｃ６と、右脚４３とが取り付けられている。ここで、図２では、右側の支持板１２ｃ５は、前後方向の中間部分が破断された状態で示されており、高さ調節ブロック１２ｃ６が図示されている。右脚４３は、図１および図３に示すように、前後の脚体４３ａ，４３ｂと、間材４３ｃ（図２参照）と、ベース４３ｄと、キャスター４３ｅとを備えている。
【００２４】
左面材１２ｂと右面材１２ｃには、それぞれ肘掛け３２，３３が取り付けられている。左側の肘掛け３２は、図４に示すように、肘掛基材３２ａと肘掛部材３２ｂとヒンジ３２ｃと操作機構３２ｄとを備えている。このうち肘掛基材３２ａは、板状の部材であり、左面材１２ｂの左側面（外側面）に取り付けられている。肘掛部材３２ｂは、肘掛基材３２ａの上縁の後端部にヒンジ３２ｃを介して取り付けられている。操作機構３２ｄは、肘掛部材３２ｂの下面に取り付けられている。この実施形態では、肘掛部材３２ｂの下面を操作し、肘掛部材３２ｂと肘掛基材３２ａとの係合を解除し、肘掛部材３２ｂを上方に回動させることができる。肘掛部材３２ｂの下面で操作してそのまま肘掛部材３２ｂを上方に挙げれば良いので、肘掛部材３２ｂの操作が片手で行える。右側の肘掛け３３は、図３に示すように、左側の肘掛け３２と同様に、肘掛基材３３ａと肘掛部材３３ｂとヒンジ３３ｃと操作機構３３ｄとを備えており、右面材１２ｃの右側面（外側面）に取り付けられている。
【００２５】
後面材１２ｄは、図２および図５に示すように、左面材１２ｂと右面材１２ｃの後部に渡されている。この実施形態では、後面材１２ｄは、第１後面材１２ｄ１と、第２後面材１２ｄ２とを備えている。第１後面材１２ｄ１は、それぞれ棒状の板材である。第１後面材１２ｄ１は、左面材１２ｂと右面材１２ｃの後部において、第２後面材１２ｄ２よりも上側に配置されている。第２後面材１２ｄ２は、左面材１２ｂと右面材１２ｃの後部において、下部に配置されている。
【００２６】
〈トレイ載置部５０〉
枠体１２は、トレイ１４を予め定められた位置に載置するトレイ載置部５０を有している。この実施形態では、トレイ載置部５０は、図２に示すように、前面材１２ａと、左右の支持板１２ｂ５，１２ｃ５と、第１後面材１２ｄ１との各部材の上面に設けられている。
【００２７】
〈押さえ部材１２ｅ〉
枠体１２は、トレイ載置部５０に載置されたトレイ１４の後部１４ｂの上面に当たる押さえ部を備えているとよい。トレイ１４の後部１４ｂの上面に当たる押さえ部として、この実施形態では、後面材１２ｄ（ここでは、第１後面材１２ｄ１）の上方に押さえ部材１２ｅが配置されている。押さえ部材１２ｅは、図３に示すように、左右の面材１２ｂ，１２ｃからそれぞれ内側に突出している。押さえ部材１２ｅは、図１に示すように、トレイ載置部５０に載置されたトレイ１４の後部１４ｂの上面のすぐ上に配置されている。枠体１２に対してトレイ１４の前部１４ａが押し下げられる場合には、トレイ１４の後部１４ｂの上面が押さえ部材１２ｅに当たる。このため、トレイ載置部５０に載置されたトレイ１４の前部１４ａが押し下げられない。
【００２８】
例えば、介護を要する使用者をベッドからポータブルトイレ１０に移乗させるような場合には、使用者が便座２４に対して適切な位置よりも前側にずれて座る状態が生じうる。トレイ１４には、便座２４が設けられており、便座２４を通じてトレイ１４に使用者の体重が掛かる。このポータブルトイレ１０では、トレイ１４が、前面材１２ａよりも前方に出ている。このため、使用者の体重がトレイ１４の前部１４ａに掛かった場合には、枠体１２の前面材１２ａが支点となってトレイ１４の前部１４ａが押し下げられ、かつ、トレイ１４の後部１４ｂが持ち上がるように力が作用する。この実施形態では、枠体１２には、トレイ載置部５０に載置されるトレイ１４の後部１４ｂの上に、押さえ部材１２ｅが設けられている。このため、トレイ１４の後部１４ｂが持ち上がるような力が作用してもトレイ１４の後部１４ｂが、押さえ部材１２ｅに当たる。このように押さえ部材１２ｅが当たっていると、トレイ１４の前部１４ａが大きく押し下げられない。
【００２９】
〈トレイ１４〉
トレイ１４は、樹脂製であり、バケツ１６を予め定められた位置に載置するバケツ載置部１４ｃを有している。トレイ１４は、枠体１２のトレイ載置部５０に載置される。トレイ載置部５０に載置されたトレイ１４の前部１４ａは、平面視において、枠体１２の前面材１２ａよりも前に出ている。このように、トレイ１４が、前面材１２ａよりも前方に出ているので、前面材１２ａに尿がかかりにくい。この観点において、トレイ１４の前部１４ａは、前面材１２ａの最前部１２ａ２（この実施形態では、上部の前縁（図９参照））よりも５ｍｍ以上、好ましくは１ｃｍ以上、前方に出ているとよい。また、トレイ１４が前面材１２ａによって安定して支持されているには、トレイ１４が前面材１２ａよりも前方に出ている距離は、例えば、８ｃｍ以下、好ましくは５ｃｍ以下であるとよい。この実施形態では、トレイ１４の前部１４ａは、前面材１２ａの最前部１２ａ２よりも大凡３ｃｍ前方に出ている。また、トレイ１４の前面上部は、図９に示すように、前方に向かうにつれて下方に傾斜した傾斜面１４ｄと、傾斜面１４ｄの下縁から後方へ窪む段差１４ｄ１とを備えている。この場合、傾斜面１４ｄを伝う尿が、傾斜面１４ｄの下縁から床に落ちやすい。このため、トレイ１４の前面を尿が伝う場合でも、枠体１２の前面材１２ａに尿がかかりにくい。また、トレイ１４は、バケツ載置部１４ｃに載置されるバケツ１６の外側を覆うバケツ収容部１４ｅを備えているとよい。トレイ１４が、バケツ１６の外側を覆っていることにより、ポータブルトイレ１０の外観印象が向上する。
【００３０】
図６は、トレイ１４の斜視図である。図７は、バケツ１６が載せられたトレイ１４の斜視図である。図８は、下側部材６４の斜視図である。図９は、トレイ１４が載せられた枠体１２の前部の拡大したポータブルトイレ１０の縦断側面図である。図９ではトレイ１４に載置されたバケツ１６は、２点鎖線で示されている。図１０は、トレイ１４の横断正面図であり、図６のＸ−Ｘ断面図である。この実施形態では、トレイ１４は、図６に示すように、上側部材６２と下側部材６４とを備えている。
【００３１】
〈上側部材６２〉
上側部材６２は、図６および図７に示すように、バケツ１６を予め定められた位置に載置するバケツ載置部１４ｃと、バケツ載置部１４ｃに載置されたバケツ１６の周りに延びた受け部６２ｂとを備えている。この実施形態では、トレイ１４の上側部材６２は、中央部にバケツ１６が装着される開口６２ｃを有している。開口６２ｃの周囲には、上方に立ち上がった内壁６２ｄが設けられている。バケツ載置部１４ｃは、内壁６２ｄの上縁に設けられている。当該内壁６２ｄの外周には、窪み６２ｅが設けられている。窪み６２ｅの外周には上方に立ち上がった外壁６２ｆが設けられている。外壁６２ｆには、段差があり、便座２４が載置される載置部６２ｇが設けられている。
【００３２】
このように、上側部材６２は、バケツ１６の周りに尿を受ける受け部６２ｂが設けられている。上側部材６２は、いわゆる「受け板」として機能する。上側部材６２は、下側部材６４の上に被せられている。上側部材６２の前部６２ａには、図９に示すように、外壁６２ｆの上部が外側へ折れ曲がって下方に延びた外縁部６２ｈを備えている。外壁６２ｆと、下方に延びた外縁部６２ｈとの間にはリブ６２ｉが設けられている。また、上側部材６２の後部６２ｍには、図６に示すように、脱臭装置２８へと繋がる空気のダクト接続口６２ｎが設けられている。ダクト１８は、図１に示すように、ダクト接続口６２ｎの裏面に取り付けられている。
【００３３】
〈下側部材６４〉
下側部材６４は、図１に示すように、バケツ収容部１４ｅを備えている。この実施形態では、バケツ収容部１４ｅは、バケツ載置部１４ｃに載置されるバケツ１６の外側を覆い、かつ、バケツ１６の底を囲んでいる。つまり、バケツ１６の外周面１６ａは、トレイ１４の下側部材６４によって大凡囲まれている。このため、バケツ１６の外周面１６ａを伝うなどして下側部材６４の内側に溢れた尿は、バケツ収容部１４ｅによって受けられる。このバケツ収容部１４ｅによって、下側部材６４は、いわゆる「汚水受け」として機能する。
【００３４】
また、下側部材６４は、枠体１２に設けられたトレイ載置部５０に載せられる。図９に示すように、下側部材６４の前部６４ａの下面には、枠体１２の前面材１２ａの上に載せられる面６４ｂと、当該面６４ｂから前面材１２ａの後面（内側面）に沿って上下方向に延びた面６４ｃとからなる段差６４ｄが設けられている。
【００３５】
また、下側部材６４の前部６４ａは、図８に示すように、上方に突出した突起６４ｆを有している。突起６４ｆは、平面視において前部６４ａの上縁６４ｅよりも内側（後方）に設けられている。これに対して、上側部材６２の前部６２ａの裏面は、図９に示すように、突起６４ｆに当たる当り部６２ｊを有している。上側部材６２の前部６２ａが下側部材６４の突起６４ｆによって支持されている。このように、この実施形態では、トレイ１４の前部１４ａにおいて、上側部材６２が下側部材６４に安定して支持されるとともに、所要の強度が確保されている。また、トレイ１４の前部１４ａの支持構造として、上述した突起６４ｆが設けられていることによって、下側部材６４の前部６４ａの上縁６４ｅに荷重が集中するのを防止できる。また、この実施形態では、下側部材６４の底面６４ｇが上方に盛り上げられた突起６４ｆが設けられている。下側部材６４の底面６４ｇが盛り上げて突起６４ｆが設けられているので、部品点数が多くならない。さらに突起６４ｆが設けられた下側部材６４の上面が連続した面になるので、下側部材６４の上面が拭きやすく掃除が容易になる。
【００３６】
また、下側部材６４の前部６４ａの上縁６４ｅは、上側部材６２に当たっている。下側部材６４の前部６４ａの上縁６４ｅが上側部材６２に当たっていることによって、上側部材６２に作用する荷重は、下側部材６４に支持される。この実施形態では、トレイ１４の前部１４ａでは、上側部材６２の外縁部６２ｈの裏面（下面）に設けられたリブ６２ｉに下側部材６４の上縁６４ｅが当たっている。このことによって、上側部材６２に作用する荷重が下側部材６４に支持されるのでトレイ１４の前部１４ａが変形しにくい。
【００３７】
また、この実施形態では、トレイ１４の前面上部は、前方に向かうにつれて下方に傾斜した傾斜面１４ｄを備えている。そして、この傾斜面１４ｄの下縁から後方に窪んだ段差１４ｄ１が設けられている。この実施形態では、トレイ１４の前面では、上側部材６２の外縁部６２ｈが下側部材６４の前部６４ａの上縁６４ｅを覆っている。当該外縁部６２ｈの前面６２ｈ１は、上部から下部に向かうにつれて前方に傾斜している。そして、前面６２ｈ１の下縁の内側に下側部材６４の上縁６４ｅが嵌まっており、前面６２ｈ１の下縁から後方に窪んだ段差１４ｄ１が形成されている。このため、トレイ１４から前方に溢れた尿が、上側部材６２の外縁部６２ｈの前面６２ｈ１を伝う場合、外縁部６２ｈの前面６２ｈ１の下縁から床に落ちる。このため、下側部材６４には伝わりにくい。さらに、この実施形態では、下側部材６４の前面６４ｈは、前部６４ａの上縁６４ｅから下方に向かうにつれて後方に傾斜している。このため、尿が下側部材６４の前面６４ｈを伝う場合でも、尿はその途中で下側部材６４の前面６４ｈから下方に落ちやすい。さらに、下側部材６４の前面６４ｈの下端は、前面材１２ａよりも前に出ている。この実施形態では、下側部材６４の前面６４ｈの下端は、前面材１２ａよりも５ｍｍ以上（１ｃｍ程度）前に出ている。このため、下側部材６４の前面６４ｈを伝う尿は、枠体１２の前面材１２ａにまで到達しにくく、ポータブルトイレ１０の前面において尿が枠体１２に付着しにくい。
【００３８】
また、図１０に示すように、トレイ１４の左右両側においても、上側部材６２の周縁部６２ｋが、下側部材６４の上縁６４ｉに被さっている。このため、上側部材６２と下側部材６４の変形が小さく抑えられ、全体としてトレイ１４の変形が小さく抑えられる。また、便座２４が載置される上側部材６２の載置部６２ｇの裏面に当たるように、下側部材６４に段差６４ｊが設けられている。当該下側部材６４の段差６４ｊの裏面（下面）は、左面材１２ｂと右面材１２ｃの内側に設けられた支持板１２ｂ５、１２ｃ５（図３参照）に載せられる。このように、下側部材６４は、前後、左右において、枠体１２に設けられたトレイ載置部５０に載置されている。便座２４が載置される上側部材６２の載置部６２ｇは、下側部材６４および枠体１２によって支持されている。
【００３９】
また、トレイ１４の後部１４ｂでは、図７および図８に示すように、下側部材６４の後部６４ｋに、上側部材６２の後部６２ｍが被さっている。図１に示すように、上側部材６２の後部６２ｍと下側部材６４の後部６４ｋは、上下に重ねられて枠体１２の第１後面材１２ｄ１に載せられており、押さえ部材１２ｅによって上面が押さえられている。当該部位は、トレイ１４の前部が下側に荷重を受けた際に持ち上げられ、押さえ部材１２ｅに押し当たる。この実施形態では、上側部材６２の後部６２ｍと下側部材６４の後部６４ｋとが重ねられているので、所要の強度が確保されている。また、下側部材６４の後部６４ｋには、上側部材６２のダクト接続口６２ｎに対応して、脱臭装置２８が保持される脱臭装置保持部６４ｍが設けられている。
【００４０】
このように、このポータブルトイレ１０は、トレイ載置部５０に載置されたトレイ１４の前部１４ａが、平面視において、枠体１２の前面材１２ａよりも前に出ており、枠体１２が汚れにくい。枠体１２の前面材１２ａよりも前に出ていることに関連し、枠体１２に設けられた押さえ部（上述した実施形態では、押さえ部材１２ｅ）によって、トレイ１４の後部が浮き上がるのを防止されている。また、トレイ１４の前部の強度向上についても種々工夫されている。また、ポータブルトイレ１０の前面に尿が漏れにくい構造とすることや、使用者および介助者の便宜などが図られている。
【００４１】
次に、ダクト１８および脱臭装置２８の取付構造を説明する。図１１は、トレイ１４の後部に配置されたダクト１８および脱臭装置２８を拡大した断面図である。トレイ１４は、受け部６２ｂと、ダクト接続口６２ｎと、ダクト取付部６２ｐとを備えている。
【００４２】
この実施形態では、トレイ１４は、上側部材６２と下側部材６４とを備えている。下側部材６４は、枠体１２のトレイ載置部５０に載置される。上側部材６２は、下側部材６４の上に載置される。図１２は、ダクト１８が取り付けられた上側部材６２の底面図である。図１２では、上側部材６２の裏面にダクト１８が取り付けられている。図１３は、上側部材６２の部分拡大底面図である。図１３では、ダクト１８が取り外された上側部材６２のダクト取付部６２ｐが拡大されている。図１４は、ダクト１８の平面図である。図１５は、ダクト１８の斜視図である。図１５では、内部構造が分かるようにダクト１８が部分的に破断されている。
【００４３】
上側部材６２は、図６および図７に示すように、上述のようにバケツ載置部１４ｃと、受け部６２ｂと、ダクト接続口６２ｎとを備えている。また、上側部材６２の裏面には、図１３に示すように、ダクト取付部６２ｐ（図１３参照）が設けられている。
【００４４】
受け部６２ｂは、図６および図７に示すように、上述のようにバケツ載置部１４ｃの周りに延びており、バケツ載置部１４ｃに載置されたバケツ１６から溢れる尿を受ける部位である。受け部６２ｂは、トレイ１４の上面において、バケツ載置部１４ｃの周りで全体として窪んでいる。このため、バケツ１６から溢れた尿は、トレイ１４の上面において受け部６２ｂに溜まる。ダクト接続口６２ｎは、上側部材６２の後部に設けられている。この実施形態では、ダクト接続口６２ｎは、上側部材６２の後部６２ｍにおいて受け部６２ｂの側面に形成されている。上側部材６２の裏面では、ダクト接続口６２ｎに脱臭装置２８に繋がるダクト１８が取り付けられる（図１１参照）。ダクト接続口６２ｎは、上側部材６２の受け部６２ｂから空気を吸い込む吸込口として機能する。
【００４５】
ダクト取付部６２ｐは、図１２および図１３に示すように、上側部材６２の後部かつ裏側に設けられている。ダクト取付部６２ｐは、ダクト１８を保持する。ダクト１８は、図１２に示すように、上側部材６２の裏面において、ダクト接続口６２ｎを覆うように装着される。ダクト取付部６２ｐには、ダクト１８を支持する支持爪６２ｐ１〜６２ｐ４が配置されている。支持爪６２ｐ１〜６２ｐ４には、ダクト１８の上縁部が装着されて保持される。支持爪６２ｐ１〜６２ｐ４は、ダクト１８の上縁部に応じ、ダクト１８の上縁部を保持しうる位置に配置されている。
【００４６】
下側部材６４は、図８に示すように、枠体１２のトレイ載置部５０に載置される被載置部６４Ａと、上側部材を予め定められた位置に載置する上側部材載置部６４Ｂと、バケツ載置部１４ｃに載置されたバケツ１６を囲む壁６４Ｃとを備えている。この実施形態では、被載置部６４Ａは、トレイ載置部５０として枠体１２に設けられた前面材１２ａと、左右の支持板１２ｂ５，１２ｃ５と、第１後面材１２ｄ１とに載せられる部位である。上側部材載置部６４Ｂは、前後左右における下側部材６４の上縁（６４ｅ，６４ｉ，６４ｊ，６４ｋ）および突起６４ｆで構成されている。また、下側部材６４には、脱臭装置２８を保持する脱臭装置保持部６４ｍが設けられている。
【００４７】
〈脱臭装置２８〉
この実施形態では、脱臭装置２８は、図１に示すように、略直方体の筐体を有している。下側部材６４の脱臭装置保持部６４ｍは、下側部材６４の後部において、バケツ収容部１４ｅにおける下側部材６４の底面６４ｇよりも高い位置に設けられている。下側部材６４の脱臭装置保持部６４ｍには、脱臭装置２８の筐体に応じた矩形の開口６４ｍ１が形成されている。脱臭装置２８は、当該開口６４ｍ１に上方から装着される。脱臭装置２８の筐体の外周面の中間位置には、図１１に示すように、突起２８ａがある。脱臭装置２８が下側部材６４の矩形の開口６４ｍ１に装着された際に、突起２８ａは、開口６４ｍ１の上縁に当たる。開口６４ｍ１の左右両側には、図８に示すように、爪６４ｍ２が内側に突出している。脱臭装置２８は、開口６４ｍ１に装着されることによって、下側部材６４の脱臭装置保持部６４ｍに予め定められた姿勢で保持される。この実施形態では、下側部材６４の脱臭装置保持部６４ｍに保持された脱臭装置２８の吸引口２８ｂは、上方に向けられている。
【００４８】
〈センサ２８ｄ〉
ここで、トレイ１４の上縁において、図６では、センサ２８ｄが外された状態が図示されており、図７では脱臭装置２８のセンサ２８ｄが取り付けられた状態が図示されている。脱臭装置２８は、センサ２８ｄ（図７参照）を有している。センサ２８ｄは、脱臭装置本体２８ｃに配線されており、センサ２８ｄで検知された情報は、電気信号として脱臭装置本体２８ｃに送られる。下側部材６４の後部の上縁には、図８に示すように、センサ２８ｄが配置されるセンサ配置部６４ｎが設けられている。この実施形態では、センサ配置部６４ｎとして、下側部材６４の後部の上縁に矩形の大凡平坦な面が設けられている。センサ配置部６４ｎには、センサ２８ｄのコード２８ｅを装着する溝６４ｎ１が設けられている。また、図６に示すように、上側部材６２の後部には、切欠き６２ｑが形成されている。当該切欠き６２ｑには、図７に示すように、センサ配置部６４ｎに置かれたセンサ２８ｄが露出する。
【００４９】
〈ダクト１８〉
ダクト１８は、図１１、図１２および図１４に示すように、上側部材６２の裏面において、ダクト接続口６２ｎを覆うように装着される。この実施形態では、ダクト１８は、入口１８ａと出口１８ｂとを備えている。入口１８ａは、ダクト接続口６２ｎに通じる部位である。ダクト１８の入口１８ａは、図１１および図１２に示すように、ダクト接続口６２ｎを覆っている。ダクト１８の入口１８ａの上縁１８ａ１は、上側部材６２のダクト接続口６２ｎの裏面に応じた形状である。ダクト１８の上縁１８ａ２は、ダクト接続口６２ｎ周りの上側部材６２の裏面に応じた形状である。ダクト１８の後部は、左右に延びている。出口１８ｂは、脱臭装置２８に通じる部位である。ダクト１８の出口１８ｂは、ダクト１８の入口１８ａの後方中央部に設けられており、下方に向けて開口している。ダクト１８の出口１８ｂは、下側部材６４に保持された脱臭装置２８の吸引口と上下に接続されるように、上側部材６２の予め定められた位置に配置される。
【００５０】
ダクト１８は、図１５に示すように、下方に窪んだ底部を有している。ダクト１８の上縁１８ａ２は、ダクト１８が取り付けられる部位において上側部材６２の裏面に沿った形状を有している。この実施形態では、ダクト取付部６２ｐの支持爪６２ｐ１〜６２ｐ４は、図１２に示すように、ダクト１８の上縁のうち、左右に延びた部位の２か所の前角部と、後縁部の２か所を保持している。また、ダクト１８がダクト取付部６２ｐに取り付けられた状態において、ダクト１８の出口１８ｂは下向きに開口している。図１１に示すように、下側部材６４の上の予め定められた位置に上側部材６２が載置された状態では、上側部材６２に取り付けられたダクト１８の出口１８ｂと、下側部材６４に保持された脱臭装置２８の吸引口２８ｂとは、上下に接続されている。
【００５１】
このように、ダクト取付部６２ｐは、上側部材６２の裏面に設けられている。そして、ダクト１８は、下方に窪んでおり、ダクト１８の上縁１８ａ２は、ダクト１８がダクト取付部６２ｐの予め定められた位置に取り付けられた状態において、上側部材６２の裏側に沿った形状を有している。これにより、図１に示すように、ダクト１８と上側部材６２の裏面との間には、脱臭装置２８に繋がるダクト空間が形成されている。このような構造では、ダクト１８は、上下に分離される一対の金型で成形されうるので作りやすい。
【００５２】
ここで、上側部材６２が上側部材載置部６４Ｂから取り外される。この際、上側部材６２に取り付けられたダクト１８が脱臭装置２８の吸引口２８ｂに対して移動する方向Ｍ１（図１１参照）において、ダクト１８の出口１８ｂと脱臭装置２８の吸引口２８ｂとが干渉しない。このため、ダクト１８の出口１８ｂと脱臭装置２８の吸引口２８ｂとがスムーズに外れる。
【００５３】
この実施形態では、上側部材６２の後部６２ｍの上方に押さえ部材１２ｅがある。このため、上側部材６２は、上側部材６２の後部６２ｍが押さえ部材１２ｅをかわす位置まで、前部６２ａを少し持ち上げつつ前方に移動させつつ、下側部材６４の上側部材載置部６４Ｂから上側部材６２が取り外される。ここで、上側部材６２が上側部材載置部６４Ｂから取り外される際に、脱臭装置本体２８ｃに対してダクト１８が移動する方向は、図１１において矢印Ｍで示されている。
【００５４】
図１１において、脱臭装置２８の吸引口２８ｂは、２点鎖線で表されている。ダクト１８の出口１８ｂには、図１１および図１２に示すように、脱臭装置２８の吸引口２８ｂの周りを囲む壁１８ｂ１が設けられている。当該壁１８ｂ１には、上側部材６２が上側部材載置部６４Ｂから取り外される際に、脱臭装置２８の吸引口２８ｂに対して相対的に移動する方向Ｍ１とは反対側に切り欠き１８ｂ２が設けられている。つまり、この実施形態では、ダクト１８の出口１８ｂの壁１８ｂ１は、ダクト１８の後部において脱臭装置２８の吸引口２８ｂの後方に延びていない。
【００５５】
このため、ダクト１８を前方（上側部材６２が上側部材載置部６４Ｂから取り外される際の移動方向Ｍ１）に移動させても、ダクト１８の出口１８ｂは、脱臭装置２８の吸引口２８ｂに当たらない。このように、上側部材６２を取り外す際に、ダクト１８の出口１８ｂと脱臭装置２８の吸引口２８ｂとが干渉せずに取り外されるとよい。これにより、上側部材６２およびダクト１８の取り外しが容易になる。このように、上側部材６２が上側部材載置部６４Ｂから取り外される際の移動方向Ｍ１において、ダクト１８の出口１８ｂと脱臭装置２８の吸引口２８ｂとが干渉しないとよい。なお、ここで「ダクト１８の出口１８ｂと脱臭装置２８の吸引口２８ｂとが干渉しない」とは、上側部材６２を下側部材６４から取り外す際に、ダクト１８の出口１８ｂと脱臭装置２８の吸引口２８ｂとが引っ掛からずに外れればよいことを意味する。つまり、上側部材６２を下側部材６４から取り外す際に多少抵抗を生じさせるものでもよい。したがって、上側部材６２を下側部材６４の上側部材載置部６４Ｂから取り外す際に、ダクト１８の出口１８ｂと脱臭装置２８の吸引口２８ｂとが多少当たったり、引っ掛かったりして抵抗を生じさせるものでもよい。
【００５６】
図１１および図１２に示された形態では、ダクト１８の出口１８ｂの周りに設けられた壁１８ｂ１が、脱臭装置２８の吸引口２８ｂの外側を覆うように配置されている。ダクト１８の出口１８ｂと、脱臭装置２８の吸引口２８ｂは、図１１および図１２に示された形態に限定されない。図１６は、変形例に係る上側部材６２に取り付けられたダクト１８の底面図であり、当該ダクト１８と、下側部材６４に保持された脱臭装置２８の吸引口２８ｂの位置関係を示している。ここで、脱臭装置２８の吸引口２８ｂは、２点鎖線で示されている。図１６に示された形態では、ダクト１８の出口１８ｂの壁１８ｂ１の外方に、脱臭装置２８の吸引口２８ｂの壁が延びている。この実施形態では、脱臭装置２８の吸引口２８ｂには、ダクト１８の出口１８ｂの周りを囲む壁２８ｂ１が設けられている。当該壁２８ｂ１には、上側部材６２が上側部材載置部６４Ｂから取り外される際に、脱臭装置２８の吸引口２８ｂがダクト１８に対して相対的に移動する方向Ｍ２とは反対側に切り欠き２８ｂ２が設けられている。このため、上側部材６２が上側部材載置部６４Ｂから取り外される際の、脱臭装置２８に対する移動方向Ｍ２において、ダクト１８の出口１８ｂと脱臭装置２８の吸引口２８ｂとが干渉しない。
【００５７】
このように、ダクト１８の出口１８ｂと脱臭装置２８の吸引口２８ｂとのうち何れか一方には、他方の周りを囲む壁が設けられているとよい。この場合、当該壁には、上側部材６２が上側部材載置部６４Ｂから取り外される際に、出口１８ｂと吸引口２８ｂとのうち壁が設けられていない他方が、壁が設けられている一方に対して相対的に移動する方向とは反対側に切り欠きが設けられているとよい。この場合、ダクト１８の出口１８ｂと脱臭装置２８の吸引口２８ｂとのうち何れか一方には、他方の周りを囲む壁が設けられているので、空気が漏れにくい。そして、壁が設けられていない他方が、壁が設けられている一方に対して相対的に移動する方向とは反対側に切り欠きが設けられている。このため、上側部材６２が上側部材載置部６４Ｂから取り外される際に、ダクト１８の出口１８ｂと脱臭装置２８の吸引口２８ｂとの接続がスムーズに解消される。
【００５８】
〈遮蔽部１８ｃ〉
ダクト１８は、図１１、図１４および図１５に示すように、入口１８ａと出口１８ｂとの間に立てられた遮蔽部１８ｃとを備えている。遮蔽部１８ｃは、図１４に示すように、ダクト１８の中央部において、ダクト１８の底部１８ｄから上方に立ち上がった壁である。上側部材６２のダクト接続口６２ｎを通じてダクト１８の入口１８ａには、尿が入り込む場合がある。この実施形態では、ダクト１８内に、ダクト１８の入口１８ａと出口１８ｂを遮るように遮蔽部１８ｃが設けられている。このため、入口１８ａからダクト１８に入り込んだ尿は、遮蔽部１８ｃによって遮られ、脱臭装置２８へ通じる出口１８ｂに付着しにくい。
【００５９】
また、ダクト１８の出口１８ｂは、ダクト１８の底部に形成されており、ダクト１８の内側において、出口１８ｂの周りに立ち上がった壁１８ｂ３を有している。壁１８ｂ３には、上述した遮蔽部１８ｃが含まれる。ダクト１８の出口１８ｂの周りにこのような壁１８ｂ１を設けられていることによって、ダクト１８に入った尿がさらに出口１８ｂに入り込みにくくなる。
【００６０】
また、この実施形態では、遮蔽部１８ｃは、底部１８ｄから上方に向かうにつれて後方に向けて徐々に傾いている。このため、遮蔽部１８ｃに当たった尿は、ダクト１８の底部１８ｄの方に流れていく。ダクト１８の底部１８ｄは、遮蔽部１８ｃの前部から左右両側に至る遮蔽部１８ｃの周りに溝１８ｄ１がある。溝１８ｄ１の外周には、上方に立ち上がった壁１８ｄ２が設けられている。また、この実施形態では、この壁１８ｄ２の外側には、開口１８ｄ３が形成されている。また、ダクト１８の底部１８ｄには、当該開口１８ｄ３の周りにも壁１８ｄ４が設けられている。このため、ダクト１８の底部１８ｄに溜まった尿などの汚水は、開口１８ｄ３から脱臭装置２８の吸引口２８ｂの方へ流れで出にくい。
【００６１】
また、当該左右の開口１８ｄ３は、図１６に示すように、脱臭装置２８の吸引口２８ｂに連通されている。なお、図１２では、ダクト１８の裏面において、図面上、開口１８ｄ３が吸引口２８ｂの壁と重なっており、明確に図示されていない。図１２の形態においても、当該左右の開口１８ｄ３を通じて、ダクト１８の内部と脱臭装置２８の吸引口２８ｂとが繋がっている。このように、ダクト１８の出口１８ｂと、左右の開口１８ｄ３とが、脱臭装置２８の吸引口２８ｂへ繋がっている。このように、ダクト１８は、脱臭装置２８の吸引口２８ｂへ繋がる複数の開口を備えているとよい。このことによってダクト１８から脱臭装置２８へ繋がる流路が広く確保される。このため、ダクト１８の内の空気がスムーズに脱臭装置２８へ吸引される。この結果、ダクト１８を通じた脱臭装置２８の吸引力を高く維持できる。このような構成を含めて、この実施形態では、トレイ１４の受け部６２ｂから、ポータブルトイレ１０の後方に吸引するダクト１８において、脱臭装置２８の吸引力を高く維持することと、ポータブルトイレ１０の前後方向におけるダクト１８の奥行きを短くすることとが両立されている。
【００６２】
〈ドレン孔１８ｅ〉
図１４に示すように、ダクト１８の後部は、左右両側に延びている。ダクト１８の後部では、遮蔽部１８ｃ周りの溝１８ｄ１の外周に設けられた壁１８ｄ２が途切れている。遮蔽部１８ｃ周りの溝１８ｄ１は、前部中央が高くなっており、左右に沿って徐々に低くなっている。溝１８ｄ１は、ダクト１８の後部に沿って左右両側に延びている。溝１８ｄ１は、左右に向けてそれぞれ低くなっている。当該溝１８ｄ１の左右両端には、ドレン孔１８ｅが設けられている。ダクト１８の底部１８ｄは、溝１８ｄ１に向けて低くなっている。さらに溝１８ｄ１は左右両端のドレン孔１８ｅに向けて低くなっている。
【００６３】
上述のようにダクト１８の底部は、ドレン孔１８ｅを備えているとよい。そして、ダクト１８の底部は、ドレン孔１８ｅへ向けて低くなっているとよい。この場合、ダクト１８に多量の尿が入った場合でも、ドレン孔１８ｅから排出されるので、出口１８ｂ側へ流出するのを防止できる。図１７は、下側部材６４と脱臭装置２８とダクト１８が組み付けられた状態を示す平面図であり、下側部材６４とドレン孔１８ｅとの位置関係を示す拡大図である。ここで、ダクト１８およびドレン孔１８ｅは、破線で示されている。この実施形態では、下側部材６４は、ダクト１８のドレン孔１８ｅの下方まで延びている。この場合、ダクト１８に入り込んだ尿がドレン孔１８ｅから流下する場合でも下側部材６４によって受け止められる。このため、ダクト１８に入り込んだ尿は床に零れない。
【００６４】
以上のように、ポータブルトイレ１０は、図１に示すように、枠体１２と、トレイ１４と、脱臭装置２８とを備えている。枠体１２は、トレイ１４を予め定められた位置に載置するトレイ載置部５０を備えている。図７に示すように、脱臭装置２８は、脱臭装置本体２８ｃと、センサ２８ｄと、コード２８ｅとを備えている。コード２８ｅは、脱臭装置本体２８ｃとセンサ２８ｄとを繋いでいる。トレイ１４は、センサ２８ｄが配置されるセンサ配置部６４ｎと、脱臭装置本体２８ｃを保持する脱臭装置保持部６４ｍとを備えている。このため、脱臭装置２８は、トレイ１４に保持されており、枠体１２からトレイ１４を取り外す際に、脱臭装置２８も一緒に取り外せる。かかる観点において、上述した実施形態では、トレイ１４は、上側部材６２と下側部材６４とに上下に重ねられた２部材からなるが、かかる形態に限定されず、トレイ１４は、上側部材６２と下側部材６４とが一体的な１部材で構成されていてもよい。この場合、トレイ１４は、上述したようなセンサ配置部６４ｎと、脱臭装置保持部６４ｍとを備えているとよい。
【００６５】
また、ポータブルトイレ１０では、トレイ１４は、トレイ載置部５０に載置される下側部材６４と、下側部材６４の上に載置される上側部材６２とを備えている。下側部材６４は、上側部材６２が載置される上側部材載置部６４Ｂと、センサ配置部６４ｎと、脱臭装置保持部６４ｍとを備えている。この場合、下側部材６４に、センサ配置部６４ｎと、脱臭装置保持部６４ｍとが設けられているので、枠体１２に下側部材６４および脱臭装置２８を残して、上側部材６２を取り外すことができる。このため、上側部材６２のみ清掃したい場合などに便利である。この場合、コード２８ｅは、上側部材６２が上側部材載置部６４Ｂから取り外される際に、上側部材６２と干渉しない位置に配線されているとよい。これにより、上側部材６２を取り外す際に、コード２８ｅが引っ掛かりにくく、上側部材６２の取り外しや取り付けがスムーズに行える。
【００６６】
また、ポータブルトイレ１０は、バケツ１６と、ダクト１８とを備えている。トレイ１４は、バケツ１６を予め定められた位置に載置するバケツ載置部１４ｃと、バケツ載置部１４ｃに載置されたバケツ１６の周りに延びた受け部６２ｂと、受け部６２ｂに設けられたダクト接続口６２ｎと、ダクト１８を予め定められた位置に取り付けるダクト取付部６２ｐとを備えている。ダクト１８は、ダクト接続口６２ｎに通じる入口１８ａと、脱臭装置２８に通じる出口１８ｂとを備えている。ダクト取付部６２ｐは、ダクト１８が取り付けられた状態で保持する。このポータブルトイレ１０では、ダクト１８は、トレイ１４のダクト取付部６２ｐに取り付けられた状態で保持されている。このため、ダクト１８がトレイ１４と一緒に取り外されるため、ダクト１８の取り外しが容易であり、例えば、ダクト１８周りが掃除しやすくなる。かかる観点において、上述した実施形態では、トレイ１４は、上側部材６２と下側部材６４とに上下に重ねられた２部材からなるが、かかる形態に限定されず、トレイ１４は、上側部材６２と下側部材６４とが一体的な１部材で構成されていてもよい。この場合、トレイ１４は、上述したようなセンサ配置部６４ｎと、脱臭装置保持部６４ｍと、バケツ載置部１４ｃと、受け部６２ｂと、ダクト接続口６２ｎと、ダクト取付部６２ｐとを備えているとよい。
【００６７】
上述した実施形態では、トレイ１４は、枠体１２のトレイ載置部５０に載置される下側部材６４と、下側部材６４の上に載置される上側部材６２とを備えている。上述したように上側部材６２は、バケツ載置部１４ｃと、受け部６２ｂと、ダクト取付部６２ｐと、ダクト接続口６２ｎとを備えている。下側部材６４は、枠体１２のトレイ載置部５０に載置される被載置部６４Ａと、上側部材６２を予め定められた位置に載置する上側部材載置部６４Ｂと、バケツ載置部１４ｃに載置されたバケツ１６を囲む壁６４Ｃと、センサ配置部６４ｄと、脱臭装置保持部６４ｍとを備えている。このようにトレイ１４が上側部材６２と下側部材６４とで構成されており、ダクト１８は、上側部材６２のダクト取付部６２ｐに取り付けられている。このため、上側部材６２を取り外す際に、上側部材６２に取り付けられたダクト１８が一緒に取り外される。この場合、トレイ１４のうち上側部材６２を取り外すことによってダクト１８が取り外されるので、ダクト１８がさらに取り外しやすくなる。つまり、ダクト１８は、トレイ１４の上側部材６２と一緒に取り外される。このため、下側部材６４を含むトレイ１４全体を枠体１２から取り外す必要が無いので、ダクト１８の取り外しが容易になる。なお、下側部材６４には、脱臭装置２８（すなわち、脱臭装置本体２８ｃ、センサ２８ｄおよびコード２８ｅ）が残る。また、上側部材６２と下側部材６４を一緒に枠体１２から取り外せば、ダクト１８および脱臭装置２８が一緒に取り外される。
【００６８】
この実施形態では、脱臭装置２８は、吸引口２８ｂを備えている。脱臭装置本体２８ｃは、下側部材６４の脱臭装置保持部６４ｍに保持されている。下側部材６４はトレイ載置部５０に載置されている。上側部材６２が上側部材載置部６４Ｂに載置されており、かつ、ダクト１８がダクト取付部６２ｐに取り付けられている。この状態において、ダクト１８の出口１８ｂと、脱臭装置２８の吸引口２８ｂとが接続されている。このように、脱臭装置２８は、上側部材６２が下側部材６４の上側部材載置部６４Ｂに載置された状態で、上側部材６２に保持されたダクト１８の出口１８ｂと脱臭装置２８の吸引口２８ｂが接続されるとよい。脱臭装置２８は、脱臭装置保持部６４ｍに保持されている場合、下側部材６４の上側部材載置部６４Ｂに対して所定位置に上側部材６２を載置することによって、上側部材６２に取り付けられたダクト１８の出口１８ｂと脱臭装置２８の吸引口２８ｂとが接続される。このため、ダクト１８と脱臭装置２８との接続が容易になる。
【００６９】
また、下側部材６４の脱臭装置保持部６４ｍに脱臭装置２８が保持された状態において、脱臭装置２８の吸引口２８ｂは上向きに開口している。ダクト１８は、上側部材６２のダクト取付部６２ｐに取り付けられた状態において、ダクト１８の出口１８ｂは下向きに開口している。下側部材６４はトレイ載置部５０に載置され、上側部材６２が上側部材載置部６４Ｂに載置される。そして、上側部材６２が上側部材載置部６４Ｂに載置された状態で、ダクト１８の出口１８ｂと脱臭装置２８の吸引口２８ｂとが上下に接続される。この実施形態のように、上側部材６２を取り外す際に、脱臭装置２８の吸引口２８ｂに対して、ダクト１８を前後に移動させて取り付ける形態においては、ダクト１８の出口１８ｂと脱臭装置２８の吸引口２８ｂとが上下に接続されているとよい。これによって、上側部材６２を取り外す際に、ダクト１８の出口１８ｂと脱臭装置２８の吸引口２８ｂとを、干渉させず外しやすくなる。この実施形態では、脱臭装置２８の吸引口２８ｂに対して、ダクト１８を前後に移動させて取り付ける形態であるが、脱臭装置２８の吸引口２８ｂに対して左右方向、さらには水平方向にダクト１８を移動させて取り付ける形態において同様である。また、上述した実施形態では、ダクト１８の出口１８ｂと脱臭装置２８の吸引口２８ｂとが上下に接続される構造であるが、ダクト１８の出口１８ｂと脱臭装置２８の吸引口２８ｂとは、左右横方向に接続されてもよい。このように、上側部材６２を、下側部材６４に置いたときに、ダクト１８と脱臭装置２８とがどのように接続されるかについては、上述した実施形態に特に限定されない。
【００７０】
図１８は、上側部材６２、下側部材６４および脱臭装置２８が組み付けられた状態を示す背面図である。図１８に示すように、コード２８ｅは、上側部材６２が上側部材載置部６４Ｂから取り外される際に通過しない領域に配線されている。この実施形態では、下側部材６４の上面にセンサ２８ｄを配置するためのセンサ配置部６４ｎが設けられている。そして、上側部材６２には、当該センサ配置部６４ｎに置かれるセンサ２８ｄが露出するように切欠き６２ｑが形成されている。切欠き６２ｑは後方に延びている。上側部材６２は上側部材載置部６４Ｂから取り外される際に、下側部材６４に対して前方に移動する。切欠き６２ｑが後方に延びているために、上側部材載置部６４Ｂから取り外される際に上側部材６２はセンサ２８ｄに干渉しない。この場合、コード２８ｅは、上側部材６２が上側部材載置部６４Ｂから取り外される際に通過しない領域に配線されているとよい。この実施形態では、コード２８ｅは、下側部材６４の後部に沿って配線されている。この場合、上側部材６２およびダクト１８を取り外す際に、センサ２８ｄが下側部材６４に置かれた状態で残り、センサ２８ｄおよびコード２８ｅが邪魔にならない。また、コード２８ｅは、枠体１２の後面材１２ｄの内側に配線されているとよい。この場合、枠体１２から下側部材６４を取り外す際には、脱臭装置本体２８ｃとセンサ２８ｄとコード２８ｅが一緒に取り外される。このため、下側部材６４を枠体１２から取り外す際に、コード２８ｅが邪魔にならない。
【００７１】
以上、ここで提案されるポータブルトイレについて実施形態を説明した。ここで提案されるポータブルトイレは、特に言及されない限りにおいて、ここで例示した実施形態に限定されず、種々変更されてもよい。
【産業上の利用可能性】
【００７２】
以上のとおり、ここで提案される発明は、ポータブルトイレに利用される。
【符号の説明】
【００７３】
１０  ポータブルトイレ
１２  枠体
１２ａ  前面材
１２ａ１  中央部
１２ｂ  左面材
１２ｃ  右面材
１２ｄ  後面材
１２ｄ１  第１後面材
１２ｄ２  第２後面材
１２ｅ  押さえ部材
１２ｆ  装着部
１４  トレイ
１４ａ  前部
１４ｂ  後部
１４ｃ  バケツ載置部
１４ｄ  傾斜面
１４ｅ  バケツ収容部
１６  バケツ
１８  ダクト
１８ａ  入口
１８ｂ  出口
１８ｂ１  壁
１８ｂ２  切り欠き
１８ｂ３  壁
１８ｃ  遮蔽部
１８ｄ  底部
１８ｄ１  溝
１８ｄ２  壁
１８ｄ３  開口
１８ｄ４  壁
１８ｅ  ドレン孔
２２  蓋
２４  便座
２６  上蓋
２８  脱臭装置
２８ａ  突起
２８ｂ  吸引口
２８ｃ  脱臭装置本体
２８ｄ  センサ
２８ｅ  コード
５０  トレイ載置部
６２  上側部材
６２ｎ  ダクト接続口
６２ｐ  ダクト取付部
６２ｑ  切り欠き
６４  下側部材
６４Ａ  被載置部
６４Ｂ  上側部材載置部
６４Ｃ  壁
６４ｎ  センサ配置部
【図１】
0006564645.tif 000002
【図２】
0006564645.tif 000003
【図３】
0006564645.tif 000004
【図４】
0006564645.tif 000005
【図５】
0006564645.tif 000006
【図６】
0006564645.tif 000007
【図７】
0006564645.tif 000008
【図８】
0006564645.tif 000009
【図９】
0006564645.tif 000010
【図１０】
0006564645.tif 000011
【図１１】
0006564645.tif 000012
【図１２】
0006564645.tif 000013
【図１３】
0006564645.tif 000014
【図１４】
0006564645.tif 000015
【図１５】
0006564645.tif 000016
【図１６】
0006564645.tif 000017
【図１７】
0006564645.tif 000018
【図１８】
0006564645.tif 000019